(57)【特許請求の範囲】
【請求項１】
発信元番号検出部と、自動転送時と応答後転送時の通信履歴を格納する記憶部と、交換機から発信元番号を検出した後に着信転送警告番号を検出した場合は、転送時刻及び発信元番号情報を前記記憶部の自動転送通信履歴に格納し、応答後転送時には転送時刻、発信元番号情報に加えて転送先番号情報を前記記憶部の応答後転送の通信履歴に格納する制御部とを備えたことを特徴とする通信端末装置。
【請求項２】
前記自動転送時、あるいは応答後転送時に、それぞれその旨を表示する表示部を備えたことを特徴とする請求項１記載の通信端末装置。
【請求項３】
前記自動転送時の表示には発信元番号情報を、前記応答後転送の表示には転送先番号情報を付して表示することを特徴とする請求項２記載の通信端末装置。
【発明の詳細な説明】
【０００１】
【発明の属する技術分野】
本発明は、交換機による自動転送のときにその通信履歴を格納する機能が付いた通信端末装置に関する。
【０００２】
【従来の技術】
従来、電話やファックスを転送するサービス、いわゆるＮＴＴのボイスワープでは、着信後に転送番号を交換機に送出するモードと、交換機が自動で転送する自動モードがある。また、着信の際、発信者の電話番号を表示するナンバーディスプレイサービスもある。
【０００３】
【発明が解決しようとする課題】
しかしながら、上記した従来の通信端末装置では、交換機が自動で転送する場合、その都度、着信転送警告信号（ＴＩＲ）が通信端末装置に送られるが、何回かの自動転送がなされたとき、その通信履歴が端末では分からないという問題があった。
【０００４】
本発明は、そのような問題点に着目してなされたもので、交換機が自動転送する場合でも通信履歴を端末で確認できる通信端末装置を提供することを目的とする。
【０００５】
【課題を解決するための手段】
前記目的を達成するために、本発明の通信端末装置は、発信元番号検出部と、自動転送時と応答後転送時の通信履歴を格納する記憶部と、交換機から発信元番号を検出した後に着信転送警告番号を検出した場合は、転送時刻及び発信元番号情報を前記記憶部の自動転送通信履歴に格納し、応答後転送時には転送時刻、発信元番号情報に加えて転送先番号情報を前記記憶部の応答後転送の通信履歴に格納する制御部とを備えたことを特徴とする。
【０００６】
この通信端末装置では、交換機が着信転送警告信号（ＴＩＲ）を送出したときは、転送時刻及び発信元番号情報が記憶部の通信履歴に格納されるため、この端末装置側で交換機による自動転送に係る転送時刻及び発信元番号情報を確認することができる。また、記憶部の通信履歴として自動転送時と応答後転送時の通信履歴が格納されるため、記憶部を確認することにより、自動転送したか、応答後転送かの別がわかる。
【０００７】
また、この発明の通信端末装置において、前記自動転送時、あるいは応答後転送時に、それぞれその旨を表示する表示部を備えると良い。表示により、自動転送、応答後転送の別を認識し易くなる。
【０００８】
また、この発明の通信端末装置において、前記自動転送時の表示には発信元番号情報を、前記応答後転送の表示には転送先番号情報を付して表示すると良い。自動転送及び応答後転送に係る情報をより認識し易くなる。
なお、本発明において、通信はＦＡＸによる送受信や電話による通話を含み、それらの通信履歴が記憶部に格納される。
【０００９】
【発明の実施の形態】
以下、本発明を実施の形態に基づいて説明する。
【００１０】
図１は、その一実施形態に係るファクシミリ装置に通信端末装置を適用した通信システムの機器構成を示すブロック図である。図１では、ファクシミリ装置１１を有するユーザが発信元１３から交換機１２を介してＦＡＸ伝送を受けた場合に、交換機１２を介して転送先１４，…，１５に受信情報を転送する場合を想定している。
【００１１】
ファクシミリ装置１１は、図２に全体の概略構成をブロック図で示すように、ＮＣＵ１と、モデム２と、画像メモリ３と、ＲＡＭ４と、ＲＯＭ５と、主制御部（ＣＰＵ）６と、表示部７と、操作部８と、読み取り部９と、記録部１０とを備えている。
【００１２】
ＮＣＵ１は、電話回線２１との接続を制御するとともに、相手先の電話番号（対応したダイヤル信号）の送出及び着信を検出するための機能を備えている。モデム２は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。また、モデム２は、ナンバーディスプレイ情報を受信するためにＶ２３の復調機能も備えている。画像メモリ３は、受信画像データや読み取り部９で読み取った画像データを一時的に記憶する。ＲＡＭ４は、ファクシミリ装置１１に関する各種情報を一時的に記憶する。ＲＯＭ５は、ファクシミリ装置１１全体を制御するためのプログラムを記憶する。
【００１３】
主制御部６は、ＣＰＵで構成され、ＲＯＭ５に記憶されたプログラムに従い、ファクシミリ装置１１を構成する各部を制御するとともに、交換機１２から発信元番号を検出した後に着信転送警告信号を検出した場合は、転送時刻及び発信元番号情報を転送通信としてＲＡＭ４の通信履歴に格納する機能を有する。表示部７は、ファクシミリ装置１１の動作状態等の各種情報を表示する他に、転送通信があったときに発信元情報及び転送の旨を表示する。操作部８は、テンキー、スタートキー、その他のキーで構成される。読み取り部９は、原稿上の画像データを読み取って、白黒２値のイメージデータを出力する。記録部１０は、電子写真式のプリンタよりなり、受信画像データやコピー動作において読み取り部９で読み取った原稿の画像データを記録紙上に記録する。
【００１４】
ＲＡＭ４は、図６に示す転送履歴テーブルと、図７に示す自動転送発呼テーブルを備えている。転送履歴テーブルには、転送時刻、発信元番号、転送の種別、転送先が格納される。自動転送発呼テーブルには、時間帯、転送先番号、転送先名称が格納される。
【００１５】
この実施形態のファクシミリ装置の新規な特徴事項は、ＲＯＭ５に格納されたシステムプログラムに従って主制御部６が実行する処理により達成される機能にある。
【００１６】
次に、この実施形態の通信端末装置の処理機能の特徴及び処理動作について、図３及び図４に示すフロー図を参照して説明する。
【００１７】
動作が開始されると、先ずステップＳＴ１においては待機状態に入り、ステップＳＴ２に移行する。ステップＳＴ２においては、ＣＩが検出されたか、つまり呼び出し信号が入ったか判定する。ＣＩが検出されない場合は、ステップＳＴ１に戻り、待機する。ＣＩが検出されると、ステップＳＴ３に移行する。
【００１８】
ステップＳＴ３においては、ＣＩ列がＣＡＲ信号、もしくはＴＩＲ信号であるか否かを判定する。ＣＡＲ信号とＴＩＲ信号は、いずれも０．５秒ＯＮ／ＯＦＦの信号なので、そのような信号であるか否か判定する。ＣＩ列がＣＡＲ信号、ＴＩＲ信号である場合は、ステップＳＴ４へ移行する。一方、ＣＩ列がＣＡＲ信号、ＴＩＲ信号でない場合には、ステップＳＴ１２へ移行する。
【００１９】
ステップＳＴ４においては、ＣＩ列のＯＮ（０．５秒）／ＯＦＦ（０．５秒）が３秒以上続いているか否かを判定する。このＣＩ列が３秒以上続いていない場合は、ＣＩ列はＴＩＲ信号であるとして、ステップＳＴ３２へ移行する。一方、ＣＩ列のＯＮ（０．５秒）／ＯＦＦ（０．５秒）が３秒以上続いている場合は、ＣＩ列がＣＡＲ信号であるとして、ステップＳＴ５に移行する。ステップＳＴ５においては、回線を閉結し、ステップＳＴ６へ移行する。
【００２０】
ステップＳＴ３２においては、３秒以上ＣＩが検出されていないか否かを判定する。３秒以上ＣＩが検出されていない場合は、ステップＳＴ３４へ移行する。一方、ＣＩが検出されない状態が３秒経過していない場合は、ステップＳＴ３３へ移行する。ステップＳＴ３４においては、直前のＣＩ列はＴＩＲだったか否かを判定する。直前のＣＩ列がＴＩＲであった場合は、ステップＳＴ３５に移行する。ステップＳＴ３５においては、表示部７に“転送”を表示し、ステップＳＴ１に戻る。ステップＳＴ３３においては、ＣＩが検出されたか否かを検出する。ＣＩが検出された場合は、ステップＳＴ３へ戻る。ＣＩが検出されない場合は、ステップＳＴ３２に戻る。３秒以上ＣＩが検出されない状態となるまで、ステップＳＴ３２、ＳＴ３３の処理が繰り返される。
【００２１】
ステップＳＴ２、ＳＴ３、ＳＴ４、ＳＴ３２〜３５のルーチンは、ナンバーディスプレイ無しで交換機が自動転送を行った場合の処理である。“転送”の表示を見て、ユーザは交換機が自動転送したことを知ることができる。
【００２２】
ステップＳＴ６においては、発信元情報をモデム２で検出し、メモリに格納しておく。そして、表示部７に受信したその発信元情報を表示し、ステップＳＴ７に移行する。ステップＳＴ７においては、回線を開放し、ステップＳＴ８へ移行する。ステップＳＴ８においては、受話器がオフフックされたか否かを判定する。オフフックされた場合には、ステップＳＴ１８へ移行する。オフフックされていない場合は、ステップＳＴ１３へ移行する。ステップＳＴ１３においては、ＣＩが検出されたか否かを判定する。ＣＩが検出されておれば、ステップＳＴ９へ移行する。一方、ＣＩが検出されなかった場合、ステップＳＴ１４へ移行する。ステップＳＴ１４においては、３秒以上ＣＩが検出されないか否かを判定する。３秒以上検出されない場合は、ステップＳＴ２７に移行する。一方、ＣＩが検出されない状態が３秒に達していない場合は、ステップＳＴ８に戻る。
【００２３】
ステップＳＴ９においては、ＣＩ列はＣＡＲ信号とＴＩＲ信号のどちらかであるか否かを判定する。ＣＩ列がＣＡＲ信号、ＴＩＲ信号のどちらかである場合は、ステップＳＴ１０へ移行する。一方、ＣＡＲ信号、ＴＩＲ信号でない場合は、ステップＳＴ１１へ移行する。ステップＳＴ１１においては、ＣＩ列がＩＲ信号、つまり本来の呼び出し信号であるか否かを判定する。具体的にはＣＩ列が１秒ＯＮ、２秒ＯＦＦの信号であるか否かを確認し、そうであればＩＲ信号である。ＩＲ信号であれば、ステップＳＴ１６へ移行する。一方、ＣＩ列がＩＲ信号でなければ、ステップＳＴ８に戻る。
【００２４】
ステップＳＴ１０においては、ＣＩ列が３秒以上続いているか否かを判定する。ＣＩ列の継続が３秒以内である場合は、ステップＳＴ８へ移行する。一方、ＣＩ列が３秒以上続いている場合は、ステップＳＴ５へ移行する。ステップＳＴ８においては、ＣＩが検出されたか否かを判定する。
【００２５】
ステップＳＴ１０から移行後のステップＳＴ５においては、回線を閉結し、ステップＳＴ６へ移行する。そして、その発信元情報を受信し、表示部７にその発信元情報を表示する。
【００２６】
ステップＳＴ２７においては、前のＣＩが無しか、或いはＣＩ列の長さがＴＩＲ長より小さいかを判定する。ＣＩが無しか、ＴＩＲ長より小さい場合は、そのままステップＳＴ１に戻る。前のＣＩが有るか、或いはＴＩＲ長より小さくない場合、ステップＳＴ２８へ移行する。ステップＳＴ２８においては、ＣＩ列がＴＩＲであったか否かを判定し、ＴＩＲであると、ステップＳＴ２９へ移行する。一方、ＴＩＲでなければ、ステップＳＴ１に戻る。ステップＳＴ２９においては、表示部７に発信元情報とともに“転送”を表示する。その後、ステップＳＴ３０へ移行する。
【００２７】
ステップＳＴ５から、ＳＴ１０へ、さらにＳＴ５、ＳＴ６に戻るルーチンの処理で、発信元情報が受信された後、先の発呼者が発呼を放棄し、続いて他の発呼があった場合に、ＣＩ列が３秒以上続いたことに応じて、新たな発呼者の発信元情報が表示されるので、ユーザは、表示部７を見てその旨を知ることができる。
【００２８】
また、ステップＳＴ６からＳＴ１０、さらにＳＴ８、ＳＴ１３、ＳＴ１４、ＳＴ２７〜ＳＴ２９のルーチンの処理により、発信元情報が受信された後、ＣＩ列が３秒以上続かないことの検出に応じて、表示部７に転送及び発信元情報が表示されるので、ユーザは、交換機により自動転送されたこと、及びその発信元の電話番号も知ることができる。
【００２９】
ステップＳＴ１２においては、ＣＩ列がＩＲ信号か否かを判定する。ＣＩ列がＩＲ信号であると、本来の呼び出し信号であるとして、ステップＳＴ１５に移行し、回線を閉結する。一方、ＣＩ列がＩＲ信号でないと、ステップＳＴ３２に移行する。ステップＳＴ３２においては、上述したように、３秒以上ＣＩが検出されていないかどうかを判定する。３秒以上ＣＩが検出されない場合は、ステップＳＴ３４に移行する。ステップＳＴ３４においては、直前のＣＩ列はＴＩＲだったかを判定し、ＴＩＲであると、ステップＳＴ３５に移行し、表示部７に“転送”を表示する。直前のＣＩ列がＴＩＲでない場合は、ステップＳＴ３５をスキップしてステップＳＴ１に戻る。ステップＳＴ３３において、ＣＩが検出されている場合は、ステップＳＴ３に戻る。
【００３０】
ステップＳＴ１６においては、自動転送か否かを判定する。自動転送の場合は、ステップＳＴ１５へ移行する。自動転送でない場合は、ステップＳＴ１７へ移行する。ステップＳＴ１７においては、受話器がオフフックか否かを判定する。受話器がオフフックでない場合は、ステップＳＴ８へ戻る。一方、受話器がオフフックの場合は、ステップＳＴ１８へ移行する。
【００３１】
ステップＳＴ１８においては、回線を閉結し、ステップＳＴ１９に移行する。ステップＳＴ１９においては、通話中となり、ステップＳＴ２０に移行する。ステップＳＴ２０においては、転送キーが押されたか否かを判定する。転送キーが押されないときは、ステップＳＴ２１に移行する。ステップＳＴ２１においては、受話器が切断信号（オンフック）か否かを判定し、オンフックでないときはステップＳＴ１９に戻る。オンフックであるときは、当該処理を終了する。即ち、ステップＳＴ１、ＳＴ８、ＳＴ１６〜ＳＴ２１に至る処理は、通常の電話に係る処理である。
【００３２】
ステップＳＴ２０において、転送キーが押されたときは、ステップＳＴ２２に移行する。ステップＳＴ２２においては、回線を所定時間開放するため回線をフッキングし、ステップＳＴ２３に移行する。ステップＳＴ２３においては、転送先番号をダイヤル送出し、転送先である相手の応答により、ステップＳＴ２４に移行する。ステップＳＴ２４においては、回線を開放し、ステップＳＴ２５に移行する。ステップＳＴ２５においては、現在時刻（転送時刻）、発信元番号、転送先番号を応答後転送としてＲＡＭ４の通信履歴に格納し、ステップＳＴ２６に移行する。ここで発信元番号は、ステップＳＴ６で検出したものであり、その時にメモリに格納されていた番号を読み出して通信履歴として格納する。ステップＳＴ２６においては、表示部７に“転送先×××番に転送しました”を表示し、今回の応答後転送処理を終了する。このステップＳＴ１９〜ＳＴ２６に至る処理は、応答後に転送する場合の処理である。
【００３３】
ステップＳＴ２９から移行後のステップＳＴ３０においては、現在時刻（転送時刻）、発信元番号、現在の転送先名（転送先番号）を読み出して自動転送としてＲＡＭ４の通信履歴に格納し、ステップＳＴ３１に移行する。ここでいう発信元番号も、ステップＳＴ６で検出したものであり、その時にメモリに格納されていた番号を読み出して通信履歴として格納する。ステップＳＴ３１においては、表示部７に“交換機の自動転送で×××番からの発呼を転送した”を表示し、今回の自動転送処理を終了する。このステップＳＴ２９及びステップＳＴ３０、ＳＴ３１に至る処理は、交換機が自動転送する場合の処理である。  上記フロー図に示す処理によりＲＡＭ４の通信履歴に格納された履歴テーブルの一例を図６に示す。図６の履歴テーブルは、表示部７に表示するだけでなく、記録部１０により記録紙にプリントアウトしてもよい。
【００３４】
また、自動転送の転送先については、図７に示すように、予め時間帯ごとに転送先を設定しておき、この実施形態の通信端末装置が交換機に自動発呼し、登録時刻に応じた転送先を指定できるようにしておく。
【００３５】
【発明の効果】
以上を説明したように、本発明の通信端末装置によれば、自動転送時と応答後転送時の通信履歴を格納する記憶部を備え、交換機が着信転送警告信号（ＴＩＲ）を送出したときは、転送時刻及び発信元番号情報が自動転送の通信履歴に格納され、応答後転送時には転送時刻、発信元番号情報に加えて転送先番号情報を応答後転送の通信履歴に格納されるため、次の効果が得られる。
（１）交換機が自動転送した履歴も端末装置側で認識できる。
（２）どこからの通信が転送中であるかが判別できる。
【００３６】
また、請求項２の構成とすれば、自動転送、応答後転送の別をより確認し易くなる。
【００３７】
更に、請求項３の構成とすれば、自動転送及び応答後転送する場合のそれぞれの履歴情報をより認識し易くなる。
【図面の簡単な説明】
【図１】一実施形態に係るファクシミリ装置に通信端末装置を適用した通信システムの機器構成を示すブロック図である。
【図２】同ファクシミリ装置の全体の概略構成を示すブロック図である。
【図３】同ファクシミリ装置における通信端末装置の処理機能の特徴及び処理動作を示すフロー図である。
【図４】図３とともに、同ファクシミリ装置における通信端末装置の処理機能の特徴及び処理動作を示すフロー図である。
【図５】図３、図４とともに同ファクシミリ装置における通信端末装置の処理機能の特徴及び処理動作を示すフロー図である。
【図６】同ファクシミリ装置における通信端末装置の記憶部の通信履歴に格納された格納テーブルの一例を示す図である。
【図７】同ファクシミリ装置における通信端末装置で自動転送する場合の転送設定例を示す図である。
【符号の説明】
１            ＮＣＵ
２            モデム
３            画像メモリ
４            ＲＡＭ
５            ＲＯＭ
６            主制御部
７            表示部
８            操作部
９            読み取り部
１０          記録部
１１          ファクシミリ装置
１２          交換機
１３          発信元
１４，１５    転送先
【図１】
0003697571.tif 000002
【図２】
0003697571.tif 000003
【図３】
0003697571.tif 000004
【図４】
0003697571.tif 000005
【図５】
0003697571.tif 000006
【図６】
0003697571.tif 000007
【図７】
0003697571.tif 000008